(57)【特許請求の範囲】
【請求項１】
電子回路を含む電子式電力量計本体を収容する空間を有する容器を有し該容器の開口部の周辺の上面と下面に対向して設けられた電源側の電線が接続される電源側接続部と、負荷側の電線が接続される負荷側接続部と、電源側接続部に設けた電源側端子部と、負荷側接続部に設けた負荷側端子部と、前記電源側端子部と前記負荷側端子部とを接続する計器電流線と、いずれかの端子部に接続される電圧線とを有する電子式電力量計において、
前記計器電流線の端子部が挿入される電源側接続部の端子挿入用凹部には電圧線が配置される電圧線用切欠部が設けられ、
前記計器電流線は、細長い板状の導電体の両端部を折り曲げて立ち上げ部を形成しさらにその先端を外側に折り曲げて端子部を形成した形状を有し、かつ立ち上げ部を折り曲げた個所に電圧線が挿通される開口が形成され、
前記電子回路を搭載した印刷配線板に実装された前記電圧線の一端を、前記計器電流線の開口に挿通した状態で、前記計器電流線と前記端子部に設けた端子ナットの間に挟み込み固定することを特徴とする電子式電力量計。
【請求項２】
前記計器電流線が前記印刷配線板の下方を通過して前記電源側端子部と前記負荷側端子部を接続することを特徴とする請求項１に記載の電子式電力量計。
【発明の詳細な説明】
【０００１】
【発明の属する技術分野】
本発明は、電子式電力量計の構造に関し、特に電子式電力量計の電圧回路接続端子構造に関する。
【０００２】
【従来の技術】
従来の電力量計の構造および接続構造を図５、図６を用いて説明する。図５は、一部破断面で示した電力量計の正面図、図６は接続状態を説明する接続図である。電力量計は、電流と電圧を計測する必要がある。
【０００３】
図５、図６に示すように、電力量計は、電力量計本体５０に含まれる電子回路５１と、電源に接続される電源側端子２１ａＳ，２１ｂＳ，２１ｃＳと、負荷に接続される負荷側端子２１ａＬ，２１ｂＬ，２１ｃＬと、電源側端子２１ｂＳ，２１ｃＳと電子回路５１の間を接続する計器電流線３０ｂＳ、３０ｃＳと、負荷側端子２１ｂＬ，２１ｃＬと電子回路５１の間を接続する計器電流線３０ｂＬ、３０ｃＬと、電子回路５１と計器電流線３０ａとの間を接続する電圧線３５ａと、電子回路５１に接続される電圧線３５ｂ、３５ｃと、電圧線３５ｂ、３５ｃが接続される試験用端子３７ｂ、３７ｃと、電源側端子２１ｂＳ、２１ｃＳと試験用端子３７ｂ、３７ｃとの間を切り離し可能に接続する接続線３６ｂ、３６ｃとを有して構成される。
【０００４】
計器電流線３０ａの負荷側端子２１ａＬに接続された端子台に電圧線３５ａをネジで締結することによって、電子回路５１と端子２１ａＳ，２１ａＬとの間が接続される。
【０００５】
電源側端子２１ｂＳ、２１ｃＳと試験用端子３７ｂ、３７ｃとの間を切り離し可能に接続する接続線３６ｂ、３６ｃは、摺動可能に構成され、電源側端子２１ｂＳ、２１ｃＳ側に摺動させて接触させた後、ネジにより締結され接続されていた。
【０００６】
電圧線３５ａと計器電流線３０ａとの接続がこのような構造とされても、図5に示される電力量計は機器そのものが大きいため、大幅な小型化を考慮しない状況下ではそれほど問題とはならなかった。
【０００７】
一方、地球環境問題の一環とするエネルギー管理方法の一助として、電力エネルギーをきめ細かく計測する必要から、電力量計の小型化も急務となっている。これを管理するための従来の構成を有する電力量計を、例えば既存分電盤や機械設備に多数台取付けるのは物理的な限界がある。このような理由により電力量計自体の小型化の要請も大きくなり、その対応が急務となっている。
【０００８】
小型化を実現する方策の一つとして、例えば、図１に示すような配線用遮断器形の形状とした電子式電力量計がある。
【０００９】
この形の電力量計は小型であるため、従来のように共通の電圧リード線と電圧用端子を端子ネジで接続するのは計器の大型化をまねき、また、作業スペースが小さいため作業性が悪くコストアップとなる。
【００１０】
【発明が解決しようとする課題】
そこで、本発明は、計器寸法の拡大をまねくことなく、容易に端子と電子回路に設けた電圧回路を接続できる、安価（工数・材料費の低減）で確実な接続構造を有する配線用遮断器形電子式電力量計を提供することを目的とする。
【００１１】
【課題を解決するための手段】
本発明は、電子式電力量計の共通電圧回路と外部接続端子との接続を、従来のリード線を用いた接続方式に代えて、外部端子に直接共通電圧回路部材を挟み込んで固定する方式とした。
【００１２】
すなわち，本発明は、電源に接続される電源側端子部と、負荷に接続される負荷側端子部と、前記電源側端子部と前記負荷側端子部とを接続する計器電流線と、いずれかの端子部に接続される電圧線とを有する電子式電力量計において、電子回路を搭載した印刷配線板に実装された前記電圧線を前記計器電流線と前記端子部に設けた端子ナットの間に挟み込み固定する用にした。
【００１３】
本発明は、上記電子式電力量計において、前記計器電流線を、前記印刷配線板の下方を通過して前記電源側端子部と前記負荷側端子部を接続する構造とした。さらに、本発明は、上記電子式電力量計において、前記計器電流線に前記電圧線を挿通させる開口を設けた。
【００１４】
【発明の実施の形態】
以下、本発明にかかる電圧回路接続構造を採用した配線用遮断器形電子式電力量計の実施例を図１〜図４を用いて説明する。
【００１５】
図１は配線用遮断器形電子式電力量計の外観構造を概略的に示す正面図、図２は図１のII−II線側面断面図、図３はこの電力量計を構成する一部部材を分解した斜視図、図４はこの電力量計の接続図である。
【００１６】
まず、電子式電力量計１の接続構成を、図４を用いて説明する。電子式電力量計１は、電力量計電子回路５１を含む電子式電力量計本体５０と、本体５０に設けた電源側端子部２０Ｓおよび負荷側端子部２０Ｌを有して構成される。電源側端子部２０Ｓには３個の電源側端子２１ａＳ，２１ｂＳ，２１ｃＳが設けられ、負荷側端子部２０Ｌには３個の負荷側端子２１ａＬ，２１ｂＬ，２１ｃＬが設けられている。
【００１７】
電源側端子２１ａＳと負荷側端子２１ａＬ間は計器電流線３０ａで直接接続される。電源側端子２１ｂＳと電子回路５１間は計器電流線３０ｂＳで、負荷側端子２１ｂＬと電子回路５１は計器電流線３０ｂＬで接続される。電源側端子２１ｃＳと電子回路５１間は計器電流線３０ｃＳで、負荷側端子２１ｃＬと電子回路５１は計器電流線３０ｃＬで接続される。
【００１８】
また、電源側端子２１ａＳと電子回路５１間は電圧線３５ａで接続される。電源側端子２１ｂＳと電子回路５１間は試験用端子３７ｂを介して接続線３６ｂおよび電圧線３５ｂで接続される。電源側端子２１ｃＳと電子回路５１間は試験用端子３７ｃを介して接続線３６ｃおよび電圧線３５ｃで接続される。
【００１９】
電子式電力量計１の試験・検定時には、接続線３６ｂ、３６ｃによる電源側端子２１ｂＳ、２１ｃＳと試験用端子３７ｂ、３７ｃ間の接続を開放し、試験用端子３７ｂ、３７ｃから電子回路５１へ試験用電圧が印加される。
【００２０】
電子式電力量計１の構造を図１〜図３を用いて説明する。この電子式電力量計１は、電子回路５１を含む電子式電力量計本体５０を収容する空間を有する容器１０と、容器１０の開口部を覆う蓋部４０とを有して構成される。
【００２１】
容器１０は、前記本体５０を収容する箱体として形成されるともに、開口の周辺の上面と下面に電源側と負荷側の各電線が接続される電源側接続部２０Ｓと負荷側接続部２０Lが、図示のように対向して設けられている。
【００２２】
容器１０に設けた接続部２０には、計器電流線３０の端子部３１が配置される端子用凹部１１と、その内部に外部電線接続用端子ナット１６が挿入される挿入孔１２と、端子用凹部１１の両側部に設けた端子隔壁１３と、一つの端子隔壁に設けられた計器取付け用ネジ孔１５とが形成される。
【００２３】
電源側端子２１ａＳと負荷側端子２１ａＬとを接続する計器電流線３０ａの端子部３１ａＳが挿入される電源側接続部２０Ｓの端子挿入用凹部１１ａＳには電圧線３５ａが配置される電圧線用切欠部１４が設けられる。
【００２４】
蓋部４０は、容器１０に固定された電子式電力量計本体５０の表面を保護するもので、その表面には、計量した電力量を表示する計量値表示部４１と、動作状態を表示する動作表示部４２と、計量パルスを発光ダイオードなどで表示する計量パルス発信部４３が設けられている。
【００２５】
計器電流線３０ａは、図３に示されるように、細長い板状の導電体の両端部を折り曲げて立ち上げ部を形成しさらにその先端を外側に折り曲げて端子部３１ａＳ，３１ａＬを形成した形状を有し、端子部３１ａＳ，３１ａＬにネジ孔３２が、立ち上げ部を折り曲げた個所に電圧線３５ａが挿通される開口３３が形成される。
【００２６】
電子回路５１は，印刷配線板５２に搭載されており、その共通電圧回路に電圧線３５ａの一端が例えばハンダにより固着されている。
【００２７】
計器の組立ての際に、挿入孔１２ａに端子ナット１６が挿入され、計器電流線３０ａの開口３３に電圧線３５ａの他端が通された状態で、計器電流線３０ａの両端の端子部３１ａが端子用凹部１１Ｓに装着される。
【００２８】
これにより、電圧線３５ａの他端は、図２に示されるように、計器電流線３０ａの一方の端子部３１ａＳの裏面と端子ナット１６の上面との間に挟まれることになる。
【００２９】
次いで、外部電線接続用端子ネジ１７が平座金１８とバネ座金１９を介して端子ナット１６にねじ込まれて固定される。
【００３０】
このようにして、電源に接続される電源側端子部２１ａＳ、２１ｂＳ，２１ｃＳと、負荷に接続される負荷側端子部２１ａＬ、２１ｂＬ、２１ｃＬと、前記電源側端子部２１ａＳと前記負荷側端子部２１ａＬとを接続する計器電流線３０ａと、いずれかの端子部に接続される電圧線３５ａとを有する電子式電力量計において、前記計器電流線３０ａが、電圧線３５ａを挿通させる開口３３を有し、電子回路を搭載した印刷配線板５２の下方を通過して前記電源側端子部２１ａＳと前記負荷側端子部２１ａＬを接続し、前記印刷配線板５２に実装された前記電圧線３５ａを前記計器電流線３０ａと前記端子部に設けた端子ナット１６の間に挟み込み固定する接続構造を得ることができる。
【００３１】
このように、電圧線３５ａの他端を、計器電流線３０ａの端子部３１ａの下面と、端子ナット挿入孔１２内に挿入された端子ナット１６の上面との間にはさみ込むので、外部電線接続用端子ネジ１７を締め付けても電圧線３５ａの他端に回転力が伝わらず、締め付け時に電圧線３５ａの他端部が破損するおそれがない接続構造とすることができる。
【００３２】
この電圧線３５ａの他端が計器電流線３０ａの端子３１ａＳの上面と平座金１８の下面との間に挟み込まれるようにすることは、外部電線接続用端子ネジ１７で締め付ける際に損傷を受けるので好ましくない。
【００３３】
【発明の効果】
本発明によれば、電子回路５１を搭載した印刷配線板５２に実装された電圧線３５ａの一端を計器に組込む際に計器電流線３０ａの開口部３３を通し、計器電流線３０ａＳの端子部３１ａＳと外部電線接続用端子の端子ナット１６の間に挟み込むだけであるから、計器寸法の拡大をまねくことがなく、作業性も良い。
【００３４】
また、実使用または試験においては、圧着端子付きの外部電線を計器電流線３０の外部端子と座金の間に挟み込み、外部電線接続用端子ネジで締結すれば、外部電線と計器電流線３０および電圧線３５ａを確実に接続することができる。
【図面の簡単な説明】
【図１】  本発明の実施の形態にかかる配線用遮断器形電子式電力量計の外観構造を概略的に示す正面図。
【図２】  図１のII−II線で切断して示す電子式電力量計の側断面図。
【図３】  図１の電子式電力量計の端子構造を説明する要部の分解斜視図。
【図４】  図１の電子式電力量計の接続図。
【図５】  従来の電子式電力量計の外観構造を概略的に示す正面図。
【図６】  図５の電子式電力量計の接続図。
【符号の説明】
１  配線用遮断器形電子式電力量計
１０  本体容器
１１  端子用凹部
１２  外部電線接続用端子ナット挿入孔
１３  端子隔壁
１４  電圧線用挿切欠
１５  計器取付用ネジ孔
１７  外部電線接続用端子ネジ
１６  外部電線接続用端子ナット
１８  平座金
１９  バネ座金
２０  端子部
３０  計器用電流線
３１  計器電流線端子部
３２  ネジ孔
３３  開口部
３５  電圧線
４０  蓋部
４１  計量値表示部
４２  動作表示部
４３  計量パルス発信部
５１  電子回路
５２  印刷配線板
【図１】
0003762883.tif 000002
【図２】
0003762883.tif 000003
【図３】
0003762883.tif 000004
【図４】
0003762883.tif 000005
【図５】
0003762883.tif 000006
【図６】
0003762883.tif 000007